(57)【特許請求の範囲】
【請求項１】
ケーキ（１０）が収容される、上面が開口（２１）となっている容器（２０）と、
この容器（２０）とケーキ（１０）との間に全面的に介在されるラップ（３０）と、
このラップ（３０）を介して容器（２０）全体に収容されたケーキ（１０）と、
ケーキ（１０）が収容された容器（２０）の開口（２１）を塞ぐトレー（４０）と、
を備え、
前記ケーキ（１０）は容器（２０）内部全体を埋めるように収容され、
前記容器（２０）とトレー（４０）とは結合され、
前記ラップ（３０）の端（３１）は容器（２０）の外部に出ているケーキ体（１）が、前記トレー（４０）を上にした状態で、搬送用の箱（５１）に入れられたことを特徴とするケーキ体の梱包体。
【請求項２】
ケーキ（１０）が収容される、上面が開口（２１）となっている透明な容器（２０）と、
この容器（２０）とケーキ（１０）との間に全面的に介在されるラップ（３０）と、
このラップ（３０）を介して容器（２０）全体に収容されたケーキ（１０）と、
ケーキ（１０）が収容された容器（２０）の開口（２１）を塞ぐトレー（４０）と、
を備え、
前記ケーキ（１０）のラップ（３０）との接触面には、前記ケーキ（１０）の表面（１１）を形成するフルーツ（１２）の断面（１２ｂ）が、略全面的に配置され、
前記ケーキ（１０）は容器（２０）内部全体を埋めるように収容され、
前記容器（２０）とトレー（４０）とは結合され、
前記ラップ（３０）の端（３１）は容器（２０）の外部に出ているケーキ体（１）が、前記トレー（４０）を上にした状態で、搬送用の箱（５１）に入れられたことを特徴とするケーキ体の梱包体。
【請求項３】
ケーキ（１０）が収容される、上面が開口（２１）となっている透明な容器（２０）と、
この容器（２０）とケーキ（１０）との間に全面的に介在されるラップ（３０）と、
このラップ（３０）を介して容器（２０）全体に収容されたケーキ（１０）と、
ケーキ（１０）が収容された容器（２０）の開口（２１）を塞ぐトレー（４０）と、
を備え、
前記ケーキ（１０）のラップ（３０）との接触面には、前記ケーキ（１０）の表面（１１）を形成するフルーツ（１２）の断面（１２ｂ）が、略全面的に配置され、
前記ケーキ（１０）の表面（１１）とラップ（３０）との間にはナパージュ層（１５）が設けられ、
前記ケーキ（１０）は容器（２０）内部全体を埋めるように収容され、
前記容器（２０）とトレー（４０）とは結合され、
前記ラップ（３０）の端（３１）は容器（２０）の外部に出ているケーキ体（１）が、前記トレー（４０）を上にした状態で、搬送用の箱（５１）に入れられたことを特徴とするケーキ体の梱包体。
【発明の詳細な説明】
【技術分野】
【０００１】
本発明は、ケーキ体の梱包体に関するものである。
【背景技術】
【０００２】
従来、例えば特許文献１の要約中の解決手段に記載されているように、
「柔らかい材質のケーキ本体（Ａ−１）と、該ケーキ本体（Ａ−１）の上面に載置するデコレーション（Ａ−３）とを、共に型崩れしないように輸送するための包装体（１）であって、少なくとも側面が硬めの材料（Ａ−２）で覆われたケーキ本体（Ａ−１）をトレー（１１）上に乗せ、凸状に成形したプラスチック製キャップ（１２）の肩隅部分（１２２）で、前記硬めの材料（Ａ−２）を接触保持させると共に、ケーキ本体（Ａ−１）に載置したデコレーション（Ａ−３）との間に所定の間隙（ｓ）を存して被蓋することを特徴とする包装体」
が知られている。
【０００３】
しかしこの包装体では、プラスチック製キャップ（１２）と、ケーキ本体（Ａ−１）のデコレーション（Ａ−３）との間に所定の間隙（ｓ）があるので、これをそのまま展示しようとすると、見栄えが悪くなる。
【０００４】
また、プラスチック製キャップ（１２）と、ケーキ本体（Ａ−１）のデコレーション（Ａ−３）との間に所定の間隙（ｓ）があるので、例えば搬送時に何らかの理由で、デコレーション（Ａ−３）とキャップ（１２）内面とが部分的に接触すると、キャップ（１２）内面に部分的にデコレーション材料が付着し、見栄えが悪くなる。
【先行技術文献】
【特許文献】
【０００５】
【特許文献１】特開平１１−２０８７５８号公報
【発明の概要】
【発明が解決しようとする課題】
【０００６】
本発明が解決しようとする課題は、搬送に適していながら見栄えも良いケーキ体の梱包体を提供することである。
【課題を解決するための手段】
【０００７】
上記課題を解決するために本発明のケーキ体の梱包体は、
ケーキが収容される、上面が開口となっている容器と、
この容器とケーキとの間に全面的に介在されるラップと、
このラップを介して容器全体に収容されたケーキと、
ケーキが収容された容器の開口を塞ぐトレーと、
を備え、
前記ケーキは容器内部全体を埋めるように収容され、
前記容器とトレーとは結合され、
前記ラップの端は容器の外部に出ているケーキ体が、前記トレーを上にした状態で、搬送用の箱に入れられたことを特徴とする。
【０００８】
このケーキ体の梱包体によれば、
上面が開口となっている容器全体にケーキが収容され、容器の開口がトレーで塞がれた状態となる（この状態を完成体と称することとする）。
したがって、このケーキ体の梱包体は、この状態（完成体）のまま搬送することができる。
そしてこの状態では、容器全体に収納されトレーで塞がれたケーキが容器に対して相対的に動きにくくなるので、ケーキが型崩れしにくくなる。
また、ケーキは、容器内面に対して全面的に接触しているので、従来技術とは異なり、部分的に接触することによる外観の低下、という事態も生じにくい。
つまり、このケーキ体の梱包体は、搬送・配送の振動等に非常に強いものとなり、搬送・配送に適したものとなる。
そして、容器の開口はトレーで塞がれているので、天地を逆にし、トレーを底板とし、ラップと容器とを外すことで、ケーキ体を店頭等で展示することができる。この際、上述したように、ケーキは型崩れしにくく、外観の低下も生じ難いので、見栄えの良い状態で展示することができる。
すなわち、このケーキ体の梱包体によれば、搬送に適していながらケーキ体の見栄えも良い、という効果が得られる。
【０００９】
また、上記課題を解決するために本発明のケーキ体の梱包体は、
ケーキが収容される、上面が開口となっている透明な容器と、
この容器とケーキとの間に全面的に介在されるラップと、
このラップを介して容器全体に収容されたケーキと、
ケーキが収容された容器の開口を塞ぐトレーと、
を備え、
前記ケーキのラップとの接触面には、前記ケーキの表面を形成するフルーツの断面が、略全面的に配置され、
前記ケーキは容器内部全体を埋めるように収容され、
前記容器とトレーとは結合され、
前記ラップの端は容器の外部に出ているケーキ体が、前記トレーを上にした状態で、搬送用の箱に入れられたことを特徴とする。
【００１０】
このケーキ体の梱包体によれば、上述した作用効果が得られる。
また、容器２０が透明であるので、容器２０を被せたままケーキ体を展示することができる。
さらに、ケーキ体は、
前記ケーキのラップとの接触面には、前記ケーキの表面を形成するフルーツの断面が、略全面的に配置されているので、フルーツの断面が容器外部から視認され、より一層見栄えの優れたものとなる。
【００１１】
また、上記課題を解決するために本発明のケーキ体の梱包体は、
ケーキが収容される、上面が開口となっている透明な容器と、
この容器とケーキとの間に全面的に介在されるラップと、
このラップを介して容器全体に収容されたケーキと、
ケーキが収容された容器の開口を塞ぐトレーと、
を備え、
前記ケーキのラップとの接触面には、前記ケーキの表面を形成するフルーツの断面が、略全面的に配置され、
前記ケーキの表面とラップとの間にはナパージュ層が設けられ、
前記ケーキは容器内部全体を埋めるように収容され、
前記容器とトレーとは結合され、
前記ラップの端は容器の外部に出ているケーキ体が、前記トレーを上にした状態で、搬送用の箱に入れられたことを特徴とする。
【００１２】
このケーキ体の梱包体によれば、上述した作用効果が得られる。
さらに、ケーキ体は、
前記ケーキのラップとの接触面には、前記ケーキの表面を形成するフルーツの断面が、略全面的に配置されているので、フルーツの断面が容器外部から視認され、より一層見栄えの優れたものとなる。
さらに、
前記ケーキの表面とラップとの間にはナパージュ層が設けられているので、ナパージュ層でケーキ表面が円滑化されてケーキ体の見栄えが一層良くなるとともに、ナパージュ層によりケーキの表面とラップを介した容器表面との密着性が高まるため、搬送・配送に、より適したものとなる。
【００１７】
なお、本願において、ラップ（wrap）とは、食品包装用の薄い透明なフィルムのことである。
【図面の簡単な説明】
【００１８】
【図１】本発明に係るケーキ体の実施の形態を示す図で、（ａ）は部分透視平面図、（ｂ）は縦断面図。
【図２】天地を逆にした断面図。
【図３】（ａ）〜（ｄ）は作製例を示す図。
【図４】（ａ）（ｂ）はそれぞれ搬送形態を示す図。
【図５】他の実施の形態を示す図で、（ａ）は部分透視平面図、（ｂ）は縦断面図。
【図６】（ｃ）〜（ｉ）は作製例を示す図。
【図７】（ａ）は図６（ｆ）における７矢視図、（ｂ）は図（ａ）の別形態を示す図。
【図８】他の実施の形態を示す図で、（ａ）は部分透視平面図、（ｂ）は縦断面図、（ｃ）は図（ｂ）の部分拡大図。
【図９】（ａ）〜（ｄ）は作製例を示す図。
【図１０】他の実施の形態を示す図で、（ａ）は部分透視平面図、（ｂ）は縦断面図、（ｃ）は図（ｂ）の部分拡大図。
【図１１】ケーキおよびトレイの一例を示す外観斜視図。
【発明を実施するための形態】
【００１９】
以下、本発明に係るケーキ体の実施の形態について図面を参照して説明する。なお、各図において、同一部分ないし相当する部分には、同一の符号を付してある。
【００２０】
図１に示す実施の形態のケーキ体１は、
ケーキ１０が収容される、上面が開口２１となっている容器２０（図３（ａ）参照）と、
この容器２０とケーキ１０との間に全面的に介在されるラップ３０（図３（ｂ）参照）と、
このラップ３０を介して容器２０全体に収容されたケーキ１０（図３（ｃ）参照）と、
ケーキ１０が収容された容器２０の開口２１を塞ぐトレー４０と、
を備えている。
【００２１】
このケーキ体１によれば、
上面が開口２１となっている容器２０全体にケーキ１０が収容され、容器２０の開口２１がトレー４０で塞がれた状態となる（この状態を完成体と称することとする）。
【００２２】
したがって、このケーキ体１は、この状態（完成体）のまま搬送することができる。
そしてこの状態では、容器２０全体に収納されトレー４０で塞がれたケーキ１０が容器２０に対して相対的に動きにくくなるので、ケーキ１０が型崩れしにくくなる。
【００２３】
また、ケーキ１０は、容器２０の内面に対して（ラップ３０を介してはいるものの）全面的に接触しているので、従来技術とは異なり、部分的に接触することによる外観の低下、という事態も生じにくい。
【００２４】
つまり、このケーキ体１は、搬送・配送の振動等に非常に強いものとなり、搬送・配送に適したものとなる。
【００２５】
そして、容器２０の開口２１はトレー４０で塞がれているので、図２に示すように、天地を逆にし、トレー４０を底板とし、ラップ３０および容器２０を外すことにより、店頭等で展示することができる。この際、上述したように、ケーキ１０は型崩れしにくく、外観の低下も生じ難いので、見栄えの良い状態で展示することができる。
【００２６】
すなわち、このケーキ体１によれば、搬送に適していながら見栄えも良い、という効果が得られる。
【００２７】
しかも、容器２０とケーキ１０との間に全面的にラップ３０が介在されるので、ケーキ１０を食す際には、ケーキ１０から容器２０を容易に外すことができ、また、ラップ３０をケーキ１０の表面から剥がして食すことができる。
【００２８】
以上のようなケーキ体１は、例えば次のようにして作ることができる。
【００２９】
（１）
図３（ａ）に示すように、容器２０を、その開口２１を上にした状態とし、容器２０の内面２２の全面にアルコールＡをスプレーする。
【００３０】
（２）
図３（ｂ）に示すように、容器２０の内面２２の全面にラップ３０を貼り付ける。この際、ラップ３０の端３１は容器２０の外部に出すようにすることが望ましい。
【００３１】
（３）
図３（ｃ）に示すように、ラップ３０を貼り付けた容器２０の内部に、所望のケーキ、例えば、クリーム、スポンジ、果物、ナッツ、チョコレートなどのを使って、所望のケーキ１０を作る。
ケーキ１０は、容器２０全体に収容されるように、すなわち、容器２０の内部全体を埋めるように作る。
【００３２】
（４）
図３（ｄ）に示すように、容器２０の開口２１上にトレー４０を載せ、開口２１をトレー４０で塞ぐ。
容器２０とトレー４０との結合構造は、公知の適宜の構造を採用することができる。例えば、容器２０とトレー４０とを一緒にビニール袋に入れ、ビニール袋を強めに閉じる事で両者を結合する、あるいは、セロテープ（登録商標）等で容器２０とトレー４０の底面とを連結する等の結合構造を採用することができる。
【００３３】
その後、図２に示したように、天地を逆にし、トレー４０を底板とすることにより、そのまま店頭等で展示することができる。
【００３４】
また、このケーキ体１は、例えば、図４（ａ）に示すように、トレー４０を上にした状態で、搬送用の箱（例えば化粧箱）５１に入れ、さらに、段ボール５２に入れて搬送することができる。なお、空間５３，５４は、公知の緩衝材（図示せず）で埋める。
また、図４（ｂ）に示すように、ケーキ体１は天地を逆にし、トレー４０を下にした状態で搬送することもできる。
【００３５】
なお、ケーキ１０を食する際には、容器２０とトレー４０との結合を解き、例えば、図２に示した状態から、容器２０の外にはみ出したラップ３０の端３１を摘まむ等して容器２０を外し、ラップ３０を剥がして食す。
【００３６】
図５に示す実施の形態のケーキ体１は、
ケーキ１０が収容される、上面が開口２１となっている透明な容器２０と、
この容器２０とケーキ１０との間に全面的に介在されるラップ３０と、
このラップ３０を介して容器２０全体に収容されたケーキ１０と、
ケーキ１０が収容された容器２０の開口２１を塞ぐトレー４０と、
を備えている。
【００３７】
図５に示す実施の形態のケーキ体１が、上述した実施の形態（図１）と異なる点は、容器２０が透明である点、ケーキ１０のラップ３０との接触面（１１）に、ケーキ１０の表面１１を形成するフルーツ１２の断面１２ｂが、略全面的に配置されている点にある。
【００３８】
このケーキ体１によれば、上述した実施の形態（図１）と同様の作用効果が得られる。
また、容器２０が透明であるので、容器２０を被せたまま展示することができる。
【００３９】
さらに、この図５に示す実施の形態のケーキ体１によれば、
ケーキ１０のラップ３０との接触面（ケーキ１０の表面１１）には、ケーキ１０の表面１１を形成するフルーツ１２の断面１２ｂが、略全面的に配置されているので、フルーツ１２の断面１２ｂが容器２０の外部から視認され（図１１参照）、より一層見栄えの優れたものとなる。
なお、図１１は容器２０およびラップ３０を外した状態のケーキ１０およびトレイ４０を示しているが、容器２０は透明であるので、容器２０が被せてある状態でもほぼ同様の外観が得られる。
【００４０】
図５に示すケーキ体１は、例えば次のようにして作ることができる。
【００４１】
（１）
図３（ａ）に示したように、容器２０を、その開口２１を上にした状態とし、容器２０の内面２２の全面にアルコールＡをスプレーする。
【００４２】
（２）
図３（ｂ）に示したように、容器２０の内面２２の全面にラップ３０を貼り付ける。この際、ラップ３０の端３１は容器２０の外部に出すようにすることが望ましい。
【００４３】
（３）
図６（ｃ）に示すように、ラップ３０を貼り付けた容器２０の内面全面に、例えば輪切りにした果物１２を貼り付ける。これにより、ケーキ１０の表面１１を形成するフルーツ１２の断面１２ｂが、ケーキ１０の表面１１に略全面的に配置されることとなる。
【００４４】
（４）
例えば図６（ｄ）〜（ｈ）に示すようにして、ケーキ１０の内部を作る。
具体的には、例えば図（ｄ）に示すように、シート状のスポンジ１３の上に生クリーム１４を広げ、図（ｅ）に示すように、生クリーム１４を広げたシート状のスポンジ１３を波刃包丁等（図示せず）で破線で示すように棒状に切断し、そのクリーム付き棒状スポンジ１３ｂを、図（ｆ）に示すように、輪切りにした果物１２の上に貼り、その上に、果物１２や生クリーム１４（図（ｆ）では省略）を入れ込む。あるいは、図（ｇ）（ｈ）に示すように、生クリーム１４ｃ、果物１２ｃ、平面視円板状のスポンジ１３ｃを適宜積み上げる等して容器２０内に充填する。
ケーキ１０は、容器２０全体に収容されるように、すなわち、容器２０内部全体を埋めるように作る。
なお、図７（ａ）（ｂ）は、それぞれ図６（ｆ）のものを上方から見た状態、すなわち、棒状スポンジ１３ｂの配置例を示した図であるが、棒状スポンジ１３ｂの形状および配置は適宜選択できる。
【００４５】
（５）
図６（ｉ）および図５に示したように、容器２０の開口２１上にトレー４０を載せ、開口２１をトレー４０で塞ぐ。
【００４６】
容器２０とトレー４０との結合構造、その他については、図１に示した実施の形態に関する説明と同様である。
【００４７】
図８に示す実施の形態のケーキ体１は、上述したものと同様、
ケーキ１０が収容される、上面が開口２１となっている透明な容器２０と、
この容器２０とケーキ１０との間に全面的に介在されるラップ３０と、
このラップ３０を介して容器２０全体に収容されたケーキ１０と、
ケーキ１０が収容された容器２０の開口２１を塞ぐトレー４０と、
を備えている。
【００４８】
図８に示す実施の形態のケーキ体１が、上述した実施の形態（図１）と異なる点は、
ケーキ１０のラップ３０との接触面（１１）に、ケーキ１０の表面１１を形成するフルーツ１２の断面１２ｂが、略全面的に配置され、
ケーキ１０の表面１１とラップ３０との間にはナパージュ層１５が設けられている点にある。
【００４９】
このケーキ体１によれば、上述した作用効果が得られる。
【００５０】
さらに、
ケーキ１０のラップ３０との接触面（１１）には、ケーキ１０の表面１１を形成するフルーツ１２の断面１２ｂが、略全面的に配置されているので、フルーツ１２の断面１２ｂが容器２０外部から視認され、より一層見栄えの優れたものとなる。
【００５１】
さらに、
ケーキ１０の表面とラップ３０との間にはナパージュ層１５が設けられているので、ナパージュ層１５でケーキ１０の表面１１が円滑化されて見栄えが一層良くなるとともに、ナパージュ層１５によりケーキ１０の表面１１とラップ３０を介した容器２０の内面２２との密着性が高まるため、搬送・配送に、より適したものとなる。
【００５２】
図８に示すケーキ体１は、例えば次のようにして作ることができる。
【００５３】
（１）
先ず、上述したようにして図５示したケーキ体を作る。
【００５４】
（２）
次に、図９（ａ）に示すように、ケーキ１０から容器２０とラップ３０を外す。
【００５５】
（３）
図９（ｂ）に示すように、ケーキ１０の表面１１にナパージュ（グラサージュを含む。本願明細書において同じ）を刷毛等（図示せず）で塗布してナパージュ層１５を作る。
【００５６】
（４）
その上に、図９（ｃ）に示すように、ラップ３０を被せ、ケーキ表面をラップ３０で覆う。
【００５７】
（５）
さらにその上に、図９（ｄ）に示すように、容器２０を被せる。
【００５８】
なお、図９（ａ）と、（ｂ）〜（ｄ）とでは、ケーキ１０の形態が異なっているが、これはケーキ体１０の形態はどちらでも良いことを表している。
【００５９】
図１０に示す実施の形態のケーキ体１は、
ケーキ１０が収容される、上面が開口２１となっている透明な容器２０と、
この容器２０全体に収容されたケーキ１０と、
ケーキ１０が収容された容器２０の開口２１を塞ぐトレー４０と、
を備え、
前記ケーキ１０の、容器２０の内面２２との対向面（１１）には、ケーキ１０の表面１１を形成するフルーツ１２の断面１２ｂが、略全面的に配置され、
このケーキ１０の表面１１と容器２０内面２２との間にはナパージュ層１５が設けられていることを特徴とする。
【００６０】
図１０に示す実施の形態のケーキ体１が図８に示したケーキ体と異なる点は、ケーキ１０と容器２０の内面２２との間にラップ３０が介在されていない点にある。
【００６１】
このケーキ体１によれば、
上面が開口２１となっている容器２０全体にケーキ１０が収容され、容器２０の開口２１がトレー４０で塞がれた状態となる。
したがって、このケーキ体１は、この状態（完成体）のまま搬送することができる。
【００６２】
そしてこの状態では、容器２０全体に収納されトレー４０で塞がれたケーキ１０が容器２０に対して相対的に動きにくくなるので、ケーキ１０が型崩れしにくくなる。
【００６３】
また、ケーキ１０は、容器２０の内面２２に対して全面的に接触しているので、従来技術とは異なり、部分的に接触することによる外観の低下、という事態も生じにくい。
【００６４】
つまり、このケーキ体は、搬送・配送の振動等に非常に強いものとなり、搬送・配送に適したものとなる。
【００６５】
そして、容器２０の開口２１はトレー４０で塞がれているので、天地を逆にし、トレー４０を底板とすることにより、そのまま店頭等で展示することができる。この際、透明な容器２０がケーキ１０を覆うケースとなるが、上述したように、ケーキ１０は型崩れしにくく、外観の低下も生じ難いので、見栄えの良い状態で展示することができる。
【００６６】
すなわち、このケーキ体によれば、搬送に適していながら見栄えも良い、という効果が得られる。
【００６７】
さらに、
ケーキ１０の容器２０の内面２２との接触面には、ケーキ１０の表面１１を形成するフルーツ１２の断面１２ｂが、略全面的に配置されているので、フルーツ１２の断面１２ｂが容器２０外部から視認され、より一層見栄えの優れたものとなる。
【００６８】
さらに、
ケーキ１０の表面と容器２０の内面２２との間にはナパージュ層１５が設けられているので、ナパージュ層１５でケーキ１０の表面１１が円滑化されて見栄えが一層良くなるとともに、ナパージュ層１５によりケーキ１０の表面と容器２０表面との密着性が高まるため、搬送・配送に、より適したものとなる。
【００６９】
図１０に示すケーキ体１は、例えば図５に示したケーキ体を作る際に、容器２０の内面２２の全面に、ラップ３０を貼り付ける代わりに、ナパージュ層１５を塗布等により全面に形成して、その内側に、図５に示したものと同様にケーキを作る、あるいは、図８に示したケーキ体を作る際に、図９（ｃ）に示したラップ３０を被せる工程を省いて、ナパージュ層１５を形成したケーキ１０に容器２０を被せることによって作ることができる。
【００７０】
以上、本発明の実施の形態について説明したが、本発明は上記の実施の形態に限定されるものではなく、本発明の要旨の範囲内において適宜変形実施可能である。例えば、
【００７１】
容器２０は、透明とする場合、無色透明なものに限らず、色つきの透明なものでもかまわない。ラップ３０についても同様である。
【００７２】
上記の実施の形態では、容器２０はドーム型（ボール形）のものを用いたが、有底円筒状、角形箱状、等等適宜の形状のものを採用し得る。容器２０およびトレイ４０の材料としては、適宜の材料（例えば合成樹脂）を採用できる。
【符号の説明】
【００７３】
１：    ケーキ体
１０：    ケーキ
１１：    表面
１２：    フルーツ
１２ｂ：  断面
１３：    スポンジ
１４：    クリーム
１５：    ナパージュ層
２０：    容器
２１：    開口
２２：    内面
３０：    ラップ
３１：    端
４０：    トレー
【要約】
【課題】搬送に適していながら見栄えも良いケーキ体を提供する。
【解決手段】ケーキ（１０）が収容される、上面が開口（２１）となっている透明な容器（２０）と、容器（２０）とケーキ（１０）との間に全面的に介在されるラップ（３０）と、ラップ（３０）を介して容器（２０）全体に収容されたケーキ（１０）と、ケーキ（１０）が収容された容器（２０）の開口（２１）を塞ぐトレー（４０）と、を備えている。
【選択図】図１【図１】
0006860646.tif 000002
【図２】
0006860646.tif 000003
【図３】
0006860646.tif 000004
【図４】
0006860646.tif 000005
【図５】
0006860646.tif 000006
【図６】
0006860646.tif 000007
【図７】
0006860646.tif 000008
【図８】
0006860646.tif 000009
【図９】
0006860646.tif 000010
【図１０】
0006860646.tif 000011
【図１１】
0006860646.tif 000012